(57)【特許請求の範囲】
【請求項１】
外袋内に空気袋を配置し、空気袋に取付けたチューブを外袋の外方に延出させた腕帯において、
前記外袋に空気袋交換用の開口部を設け、前記空気袋のチューブ取付部又は取付部近傍に外袋内での空気袋の回転を防止する回転防止部材を設け、外袋の開口部から空気袋のチューブを延出させた様態で空気袋を外袋内に配置したことを特徴とする血圧計用腕帯。
【請求項２】
前記外袋の空気袋交換用の開口部における空気袋のチューブ出口を除く部分に、当該開口部を開閉するファスナを設けたことを特徴とする請求項１記載の血圧計用腕帯。
【請求項３】
前記回転防止部材はファスナ機能を有することを特徴とする請求項１記載の血圧計用腕帯。
【請求項４】
前記回転防止部材はファスナ機能を有し、この回転防止部材のファスナは外袋の空気袋交換用の開口部に設けたファスナと合体可能であることを特徴とする請求項１記載の血圧計用腕帯。
【発明の詳細な説明】
【０００１】
【発明の属する技術分野】
本発明は、血圧計用腕帯に関する。
【０００２】
【従来の技術】
血圧計用腕帯は、一般に図１０に示すように、一対の帯状布材７１を重合し、外周辺を接合した外袋７０と、この外袋７０内に配置された空気袋７２とからなる。空気袋７２には、これを膨張・収縮させるためのチューブ７３が取付けられ、チューブ７３は外袋７０の外方に延出され、血圧計本体に接続される。
【０００３】
近年は、脈波検出感度を高めるために、空気袋７２を塩化ビニルで形成することが行われている。しかしながら、塩化ビニル製の空気袋は、その特長である肉厚が薄いことから、長年の使用により、図１０に示すように空気袋７２の巻きつき現象が生じる問題がある。
【０００４】
この問題を解決するために、実開平２−１１６４０６号：「血圧計の腕帯」では、図１１に示すように、外袋８０と外袋８０の中に配置する薄肉状の空気袋８１とを一体に接着している。この接着箇所は、例えば空気袋８１のチューブ取付部（空気袋８１とチューブ８３との連結部分）８５、又は空気袋８１の両端部８６であり、これらの部分８５，８６において、外袋８０と空気袋８１を例えば熱溶着することで一体化している。また、上記公報には、空気袋８１のチューブ取付部に突片を設け、この突片と外袋８０を接着することも開示されている。
【０００５】
【発明が解決しようとする課題】
しかしながら、上記公報記載の腕帯では、外袋８０と空気袋８１が部分的に接着固定されているので、空気袋８１が破損した場合、空気袋８１を交換できず、また汚れ易い外袋８０を洗濯する場合も、空気袋８１を外袋８０から取り外せないという問題がある。つまり、空気袋８１が破損すると、外袋８０まで一緒に交換する必要があり、資源の無駄になるだけでなく、外袋８０の洗濯も難しい。
【０００６】
本発明は、そのような従来の問題点に着目してなされたもので、空気袋の交換を可能とすること、及び外袋内での空気袋の巻きつき等の不具合を防止することを実現する血圧計用腕帯を提供することを目的とする。
【０００７】
【課題を解決するための手段】
前記目的を達成するために、本発明の血圧計用腕帯は、外袋内に空気袋を配置し、空気袋に取付けたチューブを外袋の外方に延出させたものにおいて、前記外袋に空気袋交換用の開口部を設け、前記空気袋のチューブ取付部又は取付部近傍に外袋内での空気袋の回転を防止する回転防止部材を設け、外袋の開口部から空気袋のチューブを延出させた様態で空気袋を外袋内に配置したことを特徴とする。
【０００８】
この腕帯では、外袋が空気袋交換用の開口部を有するので、開口部を通じて空気袋を容易に出入でき、空気袋の交換が可能である。また、空気袋がチューブ取付部又はその近傍に回転防止部材を有するので、空気袋を外袋内に配置した状態で、チューブに捩じれ力が加わったり、或いはチューブが捩じれたままで腕帯を収納することを繰り返しても、空気袋は外袋内で移動することはなく、空気袋の巻きつき等の不具合は起きない。
【０００９】
なお、外袋の空気袋交換用の開口部は、開閉可能でなくてもよいが、開口部における空気袋のチューブ出口を除く部分に、当該開口部を開閉するファスナを設けることで、空気袋を外袋内に入れたときは開口部をファスナで閉めることができる。また、ファスナはチューブ出口には設けられていないので、空気袋を外袋に入れるときにチューブ出口が分かり易く、空気袋を表裏逆に入れることがなくなる。
【００１０】
空気袋のチューブ取付部又はその近傍に設ける回転防止部材は、空気袋が外袋内で回転しないのなら形状や材質に特定はないが、ファスナ機能を有すれば、開口部にファスナを設けた場合に都合が良い。即ち、この場合、回転防止部材のファスナが開口部のファスナと合体可能とすれば、より使い勝手が良くなる。
【００１１】
【発明の実施の形態】
以下、本発明を実施の形態に基づいて説明する。
【００１２】
一実施形態に係る血圧計用腕帯の内側の平面図を図１に、その空気袋の平面図を図２に、空気袋のチューブ取付部から回転防止部材を取り除いた状態の平面図を図３に、回転防止部材の平面図及び側面図を図４の（ａ），（ｂ）に示す。
【００１３】
この血圧計用腕帯１０Ａは、外袋１１内に空気袋１２を配置し、空気袋１２に取付けたチューブ１３を外袋１１の外方に延出させたもので、外袋１１に空気袋交換用の開口部１５を設け、空気袋１２のチューブ取付部１７に外袋１１内での空気袋１２の回転を防止する回転防止部材２０を設け、外袋１１の開口部１５から空気袋１２のチューブ１３を延出させた様態で空気袋１２を外袋１１内に配置したものである。
【００１４】
外袋１１は、前記したように例えば一対の帯状布材の外周辺を接合してなり、その一方側（図１では右側）に設けられた内部空間に空気袋１２が配置される。外袋１１の内側及び外側にはそれぞれ面ファスナ１８ａ，１８ｂが設けられ、この面ファスナ１８ａ，１８ｂにより、腕帯１０Ａを生体部位に巻付け状態で固定する。
【００１５】
外袋１１の長尺方向の右側部には空気袋交換用の開口部１５が設けられ、開口部１５は幅ｄと幅Ｄを加えた長さを有する。この開口部１５のうち、幅ｄの部分はチューブ出口（ここでは回転防止部材２０を含む）となるため、ファスナ（図示せず）は設けられておらず、幅Ｄの部分にはファスナが設けられている。ファスナとしては、一方が凸部、他方が凹部で、凸部と凹部を互いに嵌合させるもの、対向配置した歯を金具の移動によって閉じ合わせるものが例示される。或いは、ファスナの代わりにボタンを使用してもよい。
【００１６】
空気袋１２は、例えば塩化ビニルからなる薄肉状のもので、チューブ取付部１７にてチューブ１３が取付けられ、チューブ１３は外袋１１の外方に延出され、血圧計本体に接続される。チューブ取付部１７に設けられた回転防止部材２０は、図４に示すような形状のもので、図中の斜線を施した部分２０ａで例えば高周波による熱溶着が行われ、空気袋１２のチューブ取付部１７に固定される。
【００１７】
この空気袋１２は、図１に示すように、外袋１１の開口部１５のうち、幅ｄ部分にチューブ取付部１７、即ち回転防止部材２０を位置させた様態で、外袋１１内に収容され、開口部１５の幅Ｄの部分はファスナにより閉じられる。この状態で、チューブ１３に捩じれ力が加わっても、回転防止部材２０が開口部１５に当たって、チューブ１３からの捩じれ力が空気袋１２に作用せず、空気袋１２は外袋１１内で移動しないため、空気袋１２の巻きつき等の不具合状態は発生しない。
【００１８】
また、外袋１１の開口部１５のうち、ファスナの付いていない幅ｄの部分がチューブ１３の出口、即ち回転防止部材２０の位置決め箇所となるため、空気袋１２を外袋１１に入れるときに、チューブ１３の出口が分かり易く、空気袋１２を表裏逆にして外袋１１に入れることがなくなる。しかも、空気袋１２を外袋１１から取り出すとき以外はファスナで開口部１５を閉めておくことができる。
【００１９】
上記実施形態の腕帯１０Ａでは、回転防止部材２０は空気袋１２のチューブ取付部１７のみに設けられているが、別形態を図５及び図６に示す。図５の空気袋１２における回転防止部材２１は、チューブ取付部１７だけでなく、空気袋１２の一方面まで拡張しており、チューブ取付部１７には斜線部分２１ａで高周波により熱融着され、空気袋１２の表面には接着されている。この回転防止部材２１は、空気袋１２の表面まで存在するので、空気袋１２の巻きつき等の不具合をより一層効果的に防止することができる。
【００２０】
図６の空気袋１２の回転防止部材２２は、チューブ取付部１７には設けられず、チューブ取付部１７の近傍の空気袋１２の一方面に接着されている。この場合の回転防止部材２２は、外袋１１との摩擦力が高い材質として、塩化ビニルシート、ゴムシート等からなる。この回転防止部材２２付きの空気袋１２を外袋１１に入れた状態では、回転防止部材２２が滑り止め作用を発揮し、同様に空気袋１２の巻きつき等の不具合は起こらない。
【００２１】
別実施形態に係る血圧計用腕帯の内側の平面図を図７に、その空気袋の平面図を図８に、図８の矢視Ａから見た部分側面図を図９に示す。但し、上記腕帯１０Ａと同じ要素には同一符号を付してある。この血圧計用腕帯１０Ｂでは、外袋１１の空気袋交換用の開口部１６が空気袋１２の収容空間のほぼ全幅Ｄ１にわたって設けられ、空気袋１２のチューブ取付部１７に設けられた回転防止部材２３がファスナ機能を有する。
【００２２】
回転防止部材２３は、ここでは図９に示すように、一方片２３ａが凸部、他方片２３ｂが凹部になったファスナ機能を有し、凸部と凹部を互いに嵌合させることで閉じることができる。この回転防止部材２３は、外袋１１の開口部１６に設けられた同種のファスナと合体可能であり、回転防止部材２３が開口部１６に位置するように空気袋１２を外袋１１内に収容し、開口部１６のファスナと回転防止部材２３のファスナを連続して閉めれば、図９のように開口部１６からチューブ１３が延出した様態になる。勿論、この実施形態でも、回転防止部材２３の作用により空気袋１２の巻きつき等の不具合を防止できる。
【００２３】
なお、上記実施形態の腕帯１０Ａ，１０Ｂでは、回転防止部材２０〜２３をチューブ取付部１７やその近傍の一方側にのみ設けてあるが、両側に設けて、空気袋１２の回転防止作用を高めてもよい。
【００２４】
【発明の効果】
以上説明したように、本発明の血圧計用腕帯によれば、外袋が空気袋交換用の開口部を有するので、開口部を通じて空気袋を容易に出入でき、空気袋の交換が可能である。また、空気袋がチューブ取付部又はその近傍に回転防止部材を有するので、空気袋は外袋内で移動することはなく、空気袋の巻きつき等の不具合は起きない。
【図面の簡単な説明】
【図１】一実施形態に係る血圧計用腕帯の内側の平面図である。
【図２】図１の腕帯における空気袋の平面図である。
【図３】図２の空気袋のチューブ取付部から回転防止部材を取り除いた状態の平面図である。
【図４】図２の空気袋のチューブ取付部に設けられる回転防止部材の平面図（ａ）、及びその側面図（ｂ）である。
【図５】チューブ取付部に別形態の回転防止部材を設けた空気袋の平面図である。
【図６】チューブ取付部の近傍に更に別形態の回転防止部材を設けた空気袋の平面図である。
【図７】別実施形態に係る血圧計用腕帯の内側の平面図である。
【図８】図７の腕帯における空気袋の平面図である。
【図９】図８の矢視Ａから見た部分側面図である。
【図１０】従来例に係る腕帯の部分断面図である。
【図１１】従来例に係る別の腕帯の部分平面図である。
【符号の説明】
１０Ａ，１０Ｂ    血圧計用腕帯
１１              外袋
１２              空気袋
１３              チューブ
１５，１６        開口部
１７              チューブ取付部
２０〜２３        回転防止部材
【図１】
0003840875.tif 000002
【図２】
0003840875.tif 000003
【図３】
0003840875.tif 000004
【図４】
0003840875.tif 000005
【図５】
0003840875.tif 000006
【図６】
0003840875.tif 000007
【図７】
0003840875.tif 000008
【図８】
0003840875.tif 000009
【図９】
0003840875.tif 000010
【図１０】
0003840875.tif 000011
【図１１】
0003840875.tif 000012